(57)【要約】【課題】各種電子機器に用いられる入力装置に関し、視認性が良好で操作の行い易いものを提供することを目的とする。【解決手段】タッチパネル１２の上基板１上面に、１／４波長の位相差板１１を配置することによって、液晶表示素子８の点灯光が、位相差板１１によって１／４波長ずれた光となって上方へ出射されるため、点灯光と同じ方向の吸収軸の偏光サングラスをかけていた場合でも、タッチパネル１２下方の液晶表示素子８の良好な視認性が得られ、操作の行い易い入力装置を得ることができる。【選択図】図１
2008204321.tif 000002
【特許請求の範囲】
【請求項１】
下面に上導電層が形成された光透過性の上基板と、上面に上記上導電層と所定の間隙を空けて対向する下導電層が形成された光透過性の下基板と、上記下基板下方に配置された液晶表示素子からなり、上記上基板上面または上記下基板下面に、１／４波長の位相差板を配置した入力装置。
【請求項２】
位相差板に代えて、上基板または下基板の少なくとも一方を、１／４波長の位相差板で形成した請求項１記載の入力装置。
【発明の詳細な説明】
【技術分野】
【０００１】
本発明は、主に各種電子機器の操作に用いられる入力装置に関するものである。
【背景技術】
【０００２】
近年、携帯電話やカーナビ等の各種電子機器の高機能化や多様化が進むに伴い、液晶表示素子の前面に光透過性のタッチパネルを装着して、このタッチパネルを通して背面の液晶表示素子に表示された文字や記号、絵柄等の視認や選択を行い、指や専用ペン等でタッチパネルを押圧操作することによって、機器の各機能の切換えを行うものが増えており、視認性に優れ操作の行い易いものが求められている。
【０００３】
このような従来の入力装置について、図３を用いて説明する。
【０００４】
なお、構成を判り易くするために、図面は厚さ方向の寸法を拡大して表している。
【０００５】
図３は従来の入力装置の断面図であり、同図において、１はフィルム状で光透過性の上基板、２は同じく光透過性の下基板で、上基板１の下面には酸化インジウム錫等の光透過性の上導電層３が、下基板２の上面には同じく下導電層４が各々形成されている。
【０００６】
そして、下導電層４上面には絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【０００７】
また、５は額縁状のスペーサで、このスペーサ５の上下面または片面に塗布形成された接着層（図示せず）によって、上基板１と下基板２の外周が貼り合わされ、上導電層３と下導電層４が所定の間隙を空けて対向して、タッチパネル６が構成されている。
【０００８】
そして、このように構成されたタッチパネル６が、上面に偏光板７を装着した液晶表示素子８の上方に配置されて、電子機器に装着されると共に、一対の上電極と下電極がコネクタやリード線（図示せず）等によって、機器の電子回路（図示せず）に接続されて入力装置が構成される。
【０００９】
以上の構成において、タッチパネル背面の液晶表示素子８の表示を視認しながら、上基板１上面を指或いはペン等で押圧操作すると、上基板１が撓み、押圧された箇所の上導電層３が下導電層４に接触する。
【００１０】
そして、電子回路から上電極と下電極へ順次電圧が印加され、これらの電極間の電圧比によって、押圧された箇所を電子回路が検出し、機器の様々な機能の切換えが行われる。
【００１１】
なお、この時、液晶表示素子８の文字や記号、絵柄等の表示は、上面の偏光板７がＸ方向及びこれと直交するＹ方向の光波のうち、例えばＹ方向の光波を吸収するものであった場合、Ｘ方向の直線偏光の点灯光となって、上基板１上面から出射される。
【００１２】
したがって、直射日光下において反射光防止等のために、視界全体を暗くするスモークのかかったサングラスをかけている場合には、見づらくはあるが液晶表示素子８の表示を視認することができるが、光波の吸収軸がＸ方向の偏光サングラスをかけている場合には、Ｘ方向の点灯光である液晶表示素子８の表示を、視認することができなくなってしまうものであった。
【００１３】
なお、この出願の発明に関連する先行技術文献情報としては、例えば、特許文献１が知られている。
【特許文献１】特開２００６−１０７０１５号公報
【発明の開示】
【発明が解決しようとする課題】
【００１４】
しかしながら、上記従来の入力装置においては、タッチパネル６を操作する際、偏光サングラスをかけていて、この偏光サングラスの光波の吸収軸が、液晶表示素子８上面の偏光板７から出射される点灯光と同じ方向であった場合には、液晶表示素子８の表示を視認することができなくなるという課題があった。
【００１５】
本発明は、このような従来の課題を解決するものであり、偏光サングラスをかけていた場合でも、視認性が良好で操作の行い易い入力装置を提供することを目的とする。
【課題を解決するための手段】
【００１６】
上記目的を達成するために本発明は、以下の構成を有するものである。
【００１７】
本発明の請求項１に記載の発明は、タッチパネルの上基板上面または下基板下面に、１／４波長の位相差板を配置して入力装置を構成したものであり、液晶表示素子の点灯光が、位相差板によって１／４波長ずれた光となって上方へ出射されるため、点灯光と同じ方向の吸収軸の偏光サングラスをかけていた場合でも、タッチパネル下方の液晶表示素子の良好な視認性が得られ、操作の行い易い入力装置を得ることができるという作用を有する。
【００１８】
請求項２に記載の発明は、請求項１記載の発明において、位相差板に代えて、上基板または下基板の少なくとも一方を、１／４波長の位相差板で形成したものであり、良好な視認性が得られると共に、位相差板が不要となるため、構成部品数を減らし、入力装置をさらに安価に構成することができるという作用を有する。
【発明の効果】
【００１９】
以上のように本発明によれば、視認性が良好で、操作の容易な入力装置を実現することができるという有利な効果が得られる。
【発明を実施するための最良の形態】
【００２０】
以下、本発明の実施の形態について、図１及び図２を用いて説明する。
【００２１】
なお、構成を判り易くするために、図面は厚さ方向の寸法を拡大して表している。
【００２２】
また、背景技術の項で説明した構成と同一構成の部分には同一符号を付して、詳細な説明を簡略化する。
【００２３】
（実施の形態）
図１は本発明の一実施の形態による入力装置の断面図であり、同図において、１はポリエーテルサルホンやポリカーボネート等のフィルム状で光透過性の上基板、２はガラスまたはアクリル、ポリカーボネート等の光透過性の下基板で、上基板１の下面には酸化インジウム錫や酸化錫等の光透過性の上導電層３が、下基板２の上面には同じく下導電層４が、スパッタ法等によって各々形成されている。
【００２４】
そして、下導電層４の上面にはエポキシやシリコン等の絶縁樹脂によって複数のドットスペーサ（図示せず）が所定間隔で形成されると共に、上導電層３の両端には銀やカーボン等の一対の上電極（図示せず）が、下導電層４両端には、上電極とは直交方向の一対の下電極（図示せず）が各々形成されている。
【００２５】
また、５は額縁状でエポキシやポリエステル等のスペーサで、このスペーサ５の上下面または片面に塗布形成されたアクリルやゴム等の接着層（図示せず）によって、上基板１と下基板２の外周が貼り合わされ、上導電層３と下導電層４が所定の間隙を空けて対向している。
【００２６】
さらに、１１はポリカーボネートやシクロオレフィンポリマー等のフィルムを延伸し複屈折性を持たせた１／４波長で可撓性の位相差板で、この位相差板１１が上基板１上面に接着剤（図示せず）によって貼付されて、タッチパネル１２が構成されている。
【００２７】
そして、このように構成されたタッチパネル１２が、上面に偏光板７を装着した液晶表示素子８の上方に配置されて、電子機器に装着されると共に、一対の上電極と下電極がコネクタやリード線（図示せず）等によって、機器の電子回路（図示せず）に接続されて入力装置が構成される。
【００２８】
以上の構成において、タッチパネル背面の液晶表示素子８の表示を視認しながら、位相差板１１上面を指或いはペン等で押圧操作すると、位相差板１１と共に上基板１が撓み、押圧された箇所の上導電層３が下導電層４に接触する。
【００２９】
そして、電子回路から上電極と下電極へ順次電圧が印加され、これらの電極間の電圧比によって、押圧された箇所を電子回路が検出し、機器の様々な機能の切換えが行われる。
【００３０】
また、この時、液晶表示素子８の文字や記号、絵柄等の表示は、上面の偏光板７がＸ方向及びこれと直交するＹ方向の光波のうち、例えばＹ方向の光波を吸収するものであった場合、Ｘ方向の直線偏光の点灯光となって、上基板１上面から出射されるが、この光は位相差板１１によって１／４波長ずれた光となって上方へ出射される。
【００３１】
つまり、直射日光下において反射光防止等のために、光波の吸収軸が液晶表示素子８の点灯光と同じ方向の、Ｘ方向の偏光サングラスをかけている場合でも、タッチパネル１２下方の液晶表示素子８の表示を明確に視認することができ、容易に操作が行えるように構成されている。
【００３２】
このように本実施の形態によれば、タッチパネル１２の上基板１上面に、１／４波長の位相差板１１を配置することによって、液晶表示素子８の点灯光が、位相差板１１によって１／４波長ずれた光となって上方へ出射されるため、点灯光と同じ方向の吸収軸の偏光サングラスをかけていた場合でも、タッチパネル１２下方の液晶表示素子８の良好な視認性が得られ、操作の行い易い入力装置を得ることができるものである。
【００３３】
さらに、図２の断面図に示すように、位相差板１１に代えて、上基板１３をポリカーボネートやシクロオレフィンポリマー等のフィルムを延伸し、複屈折性を持たせた１／４波長で可撓性の位相差板とすれば、良好な視認性が得られると共に、位相差板１１が不要となるため、構成部品数を減らし、入力装置をさらに安価に構成することも可能となる。
【００３４】
なお、以上の説明では、タッチパネル１２の上基板１上面に位相差板１１を配置した構成や、上基板１３を位相差板とした構成について説明したが、下基板２下面に位相差板を配置した構成や、下基板２を位相差板とした構成としても、本発明の実施は可能であり、同様の効果を得ることができる。
【産業上の利用可能性】
【００３５】
本発明による入力装置は、視認性が良好で操作の行い易いものを得ることができるという有利な効果を有し、各種電子機器の操作用として有用である。
【図面の簡単な説明】
【００３６】
【図１】本発明の一実施の形態による入力装置の断面図
【図２】同他の実施の形態による断面図
【図３】従来の入力装置の断面図
【符号の説明】
【００３７】
１、１３  上基板
２  下基板
３  上導電層
４  下導電層
５  スペーサ
７  偏光板
８  液晶表示素子
１１  位相差板
１２  タッチパネル
【図１】
2008204321.tif 000003
【図２】
2008204321.tif 000004
【図３】
2008204321.tif 000005